(57)【特許請求の範囲】
【請求項１】
送風機を駆動する電子部品が内部に設置された電装ケースと、該電装ケース及び前記電子部品を覆う電装カバーとを有する電装ボックスを本体内に備えた換気装置であって、
外部電源線を接続する外部電源線接続端子を一端部に、前記電子部品に接続された内部電線を接続する内部電線接続端子を他端部に備えた端子台が取り付けられる端子台取付板と、前記外部電源線を固定するコードクリップとを有し、
前記端子台取付板は、前記端子台の前記一端部側の側面の向く方向が前記電装ボックスの外郭面に対して前記電装ボックスの外側方向への角度を有し、かつ前記端子台の前記他端部側の側面の向く方向が前記外郭面に対して前記電装ボックスの内側方向への角度を有する状態で前記端子台を保持する端子台取付面を備え、
前記コードクリップは、前記外部電源線を前記外郭面に対して垂直に固定し、
前記外部電源線は、前記外部電源線接続端子に接続される部分が、前記外郭面に対して前記電装ボックスの外側方向への角度を有する状態で保持されることを特徴とする換気装置。
【請求項２】
前記端子台取付板は、前記他端部が前記電装ボックス内に入り込み、かつ前記一端部が前記電装ボックスから突出した状態で前記端子台を保持することを特徴とする請求項１に記載の換気装置。
【請求項３】
前記コードクリップは、前記端子台の正面方向に対して角度を持つ方向を正面方向にして前記端子台取付板に取り付けられることを特徴とする請求項１又は２に記載の換気装置。
【請求項４】
前記端子台取付板は、前記電装ケースと一体であることを特徴とする請求項１から３のいずれか１項に記載の換気装置。
【発明の詳細な説明】
【技術分野】
【０００１】
本発明は、室内の空気と屋外の空気との換気を行う換気装置に関する。
【背景技術】
【０００２】
特許文献１には、換気装置を動作させるため、外部電源線を接続するための端子台を有する換気装置が開示されている。特許文献１に開示される換気装置は、外部電源線を接続するための端子台が電装ボックスの外郭面に平行に取り付けられる。
【先行技術文献】
【特許文献】
【０００３】
【特許文献１】特開２０１４−１４９１０６号公報
【発明の概要】
【発明が解決しようとする課題】
【０００４】
しかしながら、特許文献１に開示される発明のように端子台を電装ボックスの外郭面と平行に取り付けると、外部電源線を接続する際に断線が生じない曲率で外部電源線を曲げるための配線スペースが必要であった。【０００５】
本発明は、上記に鑑みてなされたものであって、端子台を電装ボックスの外郭面と平行に取り付ける場合と比較して配線スペースを低減した換気装置を得ることを目的とする。
【課題を解決するための手段】
【０００６】
上述した課題を解決し、目的を達成するために、送風機を駆動する電子部品が内部に設置された電装ケースと、該電装ケース及び電子部品を覆う電装カバーとを有する電装ボックスを本体内に備えた換気装置であって、外部電源線を接続する外部電源線接続端子を一端部に、電子部品に接続された内部電線を接続する内部電線接続端子を他端部に備えた端子台が取り付けられる端子台取付板を有する。端子台取付板は、端子台の一端部側の側面の向く方向が電装ボックスの外郭面に対して電装ボックスの外側方向への角度を有し、かつ端子台の他端部側の側面の向く方向が外郭面に対して電装ボックスの内側方向への角度を有する状態で端子台を保持する端子台取付面を備える。
【発明の効果】
【０００７】
本発明に係る換気装置は、端子台を電装ボックスの外郭面と平行に取り付ける場合と比較して配線スペースを低減できるという効果を奏する。
【図面の簡単な説明】
【０００８】
【図１】本発明の実施の形態に係る換気装置の分解斜視図
【図２】実施の形態に係る換気装置の電装ボックス及び端子台ボックスの斜視図
【図３】実施の形態に係る換気装置の電装ボックス及び端子台ボックスの側面図
【図４】実施の形態に係る換気装置の端子台ボックスの平面図
【図５】実施の形態に係る換気装置の電装ボックス及び端子台ボックスを端子台の正面側から見た状態を示す図
【図６】実施の形態に係る換気装置の電装ボックス及び端子台ボックスをコードクリップの正面側から見た状態を示す図
【発明を実施するための形態】
【０００９】
以下に、本発明の実施の形態に係る換気装置を図面に基づいて詳細に説明する。なお、この実施の形態によりこの発明が限定されるものではない。
【００１０】
実施の形態．
図１は、本発明の実施の形態に係る換気装置の分解斜視図である。換気装置１は、室内の壁面に取り付けられる壁掛取付型の換気装置であり、フロントパネル１０、フロントケーシング２０、バックケーシング３０、内部ケーシング４０、送風機５０Ａ，５０Ｂ、熱交換器６０、電装ボックス７０及び端子台ボックス８０を備える。
【００１１】
フロントパネル１０は、フロントケーシング２０の前面側に着脱可能に取り付けられている。フロントパネル１０は、室外空気を吹き出す室内吹出口１１を前面に備えており、室内空気を吸い込む室内吸込口１２Ａ，１２Ｂを上面及び下面に備えている。
【００１２】
フロントケーシング２０は、フロントパネル１０の室内吹出口１１に通じる給気開口２１と室内吸込口１２Ａ，１２Ｂに通じる排気開口２２とが形成されている。
【００１３】
バックケーシング３０は、フロントケーシング２０の背面側に取り付けられており、室外空気を吸い込む室外吸込口３１と室内空気を吹き出す室外吹出口３２とが形成されている。
【００１４】
内部ケーシング４０は、フロントケーシング２０とバックケーシング３０との間に取り付けられており、室外吸込口３１から給気開口２１へと室外空気を流す給気通風路４１と、排気開口２２から室外吹出口３２へと室内空気を流す排気通風路４２とを備えている。
【００１５】
内部ケーシング４０には、送風機５０Ａ，５０Ｂが取り付けられている。送風機５０Ａは、室外吸込口３１に対向する位置に配置されており、給気通風路４１を流れる給気流を生成する。一方、送風機５０Ｂは、排気開口２２に対向する位置に配置されており、排気通風路４２を流れる排気流を生成する。送風機５０Ａは、モータ５１Ａ及び羽根車５２Ａを有する。送風機５０Ｂは、モータ５１Ｂ及び羽根車５２Ｂを有する。モータ５１Ａ，５１Ｂは、モータ取付板５３に取り付けられている。モータ取付板５３は、内部ケーシング４０を挟んでバックケーシング３０に取り付けられており、フロントケーシング２０がその周囲を覆うようにバックケーシング３０へ取り付けられることで排気流と給気流とを隔てている。
【００１６】
熱交換器６０は、給気通風路４１を流れる給気流と排気通風路４２を流れる排気流との間で熱交換を行う。熱交換器６０は、直方体形状を呈しており、対向する側面同士を結ぶ方向のみに空気が流れる構造となっている。具体的には、熱交換器６０は、図１中の矢印Ｆ１方向及び矢印Ｆ２方向のみに空気が流れる構造となっている。熱交換器６０は、内部ケーシング４０に保持されており、送風機５０Ａ，５０Ｂ側に位置する二つの面において、一方の面からは給気流が流入し、他方の面からは排気流が流入する。熱交換器６０の頂部及び底部は内部ケーシング４０と接触しているため、給気流及び排気流は、互いに混ざり合うことなく隔離されている。
【００１７】
電装ボックス７０は、フロントケーシング２０とバックケーシング３０との間に納められている。図２は、実施の形態に係る換気装置の電装ボックス及び端子台ボックスの斜視図である。電装ボックス７０は、送風機５０Ａ，５０Ｂを駆動する電子部品である電子基板７３が内部に設置された電装ケース７１と、電装ケース７１及び電子基板７３を覆う電装カバー７２とを備える。なお、電装ケース７１内には、電子基板７３以外の電子部品が設置されてもよい。
【００１８】
図３は、実施の形態に係る換気装置の電装ボックス及び端子台ボックスの側面図である。図３は、図２におけるＺ方向に沿った方向から見た状態を示している。なお、図３においては、電装カバー７２及び端子台カバー８２の図示は省略している。端子台取付板８１は、電装ボックス７０の外郭面７０ａにネジ８１ｃで取り付けられる。端子台ボックス８０は、外部電源線９０が接続される端子台８３と、外部電源線９０を固定するコードクリップ８４と、外部電源線９０を接続する外部電源線接続端子８３ｃを一端部に、電子基板７３に接続された内部電線９１を接続する内部電線接続端子８３ｄを他端部に備えた端子台８３が取り付けられる端子台取付板８１と、外部電源線９０を外部から端子台ボックス８０内へ引き込む経路となるコードブッシュ８５と、端子台８３及びコードクリップ８４を覆う端子台カバー８２とを有する。なお、コードクリップ８４も端子台取付板８１にネジ８４ａによって取り付けられている。ここで、外郭面７０ａが延びる方向を、Ｘ方向及びＺ方向と定義する。また、外郭面７０ａに垂直な方向をＹ方向と定義する。
【００１９】
端子台取付板８１には、外郭面７０ａに取り付けた際に、外郭面７０ａに対し角度Ａ１をなす端子台取付面８１ａと、外郭面７０ａに対し角度Ａ２をなすコードクリップ取付面８１ｂとが設けられている。したがって、コードクリップ８４は、外部電源線９０を、外部電源線接続端子８３ｃに接続される側が電装ボックス７０の外側方向への角度を有する状態で固定する。ここでは、角度Ａ２は、Ｚ方向に延びる軸回りでＸＹ面内の角度となっている。端子台取付面８１ａ及びコードクリップ取付面８１ｂは、板金材料に曲げ加工を行うことで形成できるが、他の方法で形成してもよい。
【００２０】
端子台取付板８１は、外部電源線接続端子８３ｃを備える一端部側の側面８３ａの向く方向が外郭面７０ａに対し電装ボックス７０の外側方向へ角度αを有し、内部電線接続端子８３ｄを備える他端部側の側面８３ｂの向く方向が外郭面７０ａに対して電装ボックス７０の内側方向に角度αを有するように端子台８３が外郭面７０ａに対して傾いた状態で取り付けられる。一端部側の側面８３ａの向く方向の外郭面７０ａに対する電装ボックス７０の外側方向への角度と、他端部側の側面８３ｂの向く方向の外郭面７０ａに対する電装ボックス７０の内側方向への角度とは大きさが異なっていても良い。ここでは一端部側の側面８３ａの向く方向の外郭面７０ａに対する電装ボックス７０の外側方向への角度、及び他端部側の側面８３ｂの向く方向の外郭面７０ａに対する電装ボックス７０の内側方向への角度は、Ｚ方向に延びる軸回りでＸＹ面内の角度となっている。外部電源線９０は、コードブッシュ８５を通り、端子台ボックス８０の内部へ引き込まれ、コードクリップ８４によって固定される。外部電源線９０は、コードクリップ８４で固定された位置から彎曲し、端子台８３へ接続される。
【００２１】
端子台８３の一端部側の側面８３ａの向く方向が外郭面７０ａに対して電装ボックス７０の外側方向への角度を有することにより、外部電源線９０を屈曲させることなく端子台８３へ接続することが可能となる。したがって、端子台８３を外郭面７０ａに対して平行に取り付けた場合と比較して、外郭面７０ａと平行なＸ方向で実装スペースを低減でき、配線スペースを縮小できる。また、端子台８３とコードクリップ８４との間で外部電源線９０を彎曲させることにより、端子台ボックス８０の外側に外部電源線９０が引っ張られた場合には、コードクリップ８４に対して外部電源線９０が食い込むように力が加わるため、コードクリップ８４での外部電源線９０の保持がより強固になり、外部電源線９０が抜けることを防止する効果が高くなる。さらに、端子台８３とコードクリップ８４とが外郭面７０ａに対してそれぞれ角度Ａ１、角度Ａ２を持って取り付くことで、端子台８３及びコードクリップ８４を外郭面７０ａに対して平行に取り付けた場合と比較して、外郭面７０ａと平行なＸ方向で実装スペースを低減でき、配線スペースを縮小できる。
【００２２】
また、端子台８３は、他端部が電装ボックス７０内に入り込こみ、一端部が電装ボックス７０から突出した状態で端子台取付板８１に保持されている。端子台８３の他端部が外郭面７０ａよりも電装ボックス７０の内側に入ることにより、外郭面７０ａに垂直なＹ方向の実装スペースを低減でき、配線スペースを縮小できる。
【００２３】
また、電源配線時に作業者が触る必要のない端子台８３の他端部と内部電線９１とが外郭面７０ａによって保護され、作業者が触ることがなくなるため作業時の安全性が向上する。さらに、端子台８３の他端部に設けられた内部電線接続端子８３ｄと電子基板７３との距離が短くなることで、内部電線９１を短縮してコストの削減を図ることができる。
【００２４】
なお、端子台８３の他端部は、必ずしも電装ボックス７０内に入り込んでいる必要はない。
【００２５】
図４は、実施の形態に係る換気装置の端子台ボックスの平面図である。図４は、図２におけるＹ方向に沿った方向から見た状態を示している。コードクリップ取付面８１ｂの法線のＸＺ平面方向成分は、端子台取付面８１ａの法線のＸＺ平面方向成分に対して角度Ａ３をなしている。したがって、図４中に矢印Ｂで示す端子台８３の正面方向と、図４中に矢印Ｃで示すコードクリップ８４の正面方向とは角度Ａ３をなす。ここでは角度Ａ３は、Ｙ方向に延びる軸回りでのＸＺ面内の角度となっている。コードクリップ取付面８１ｂは、板金材料に対して曲げ加工を行うことで形成できるが、他の方法で形成してもよい。
【００２６】
図５は、実施の形態に係る換気装置の電装ボックス及び端子台ボックスを端子台の正面側から見た状態を示す図である。図６は、実施の形態に係る換気装置の電装ボックス及び端子台ボックスをコードクリップの正面側から見た状態を示す図である。外部電源線９０が端子台８３に接続された状態でコードクリップ８４を着脱しようとする場合、端子台８３の正面側からでは外部電源線９０及び端子台８３が遮蔽物となり、コードクリップ８４への接触は困難である。しかし、コードクリップ８４は、端子台８３の正面方向に対して角度Ａ３をなす方向が正面方向となるように取り付けられているため、コードクリップ８４の正面側には遮蔽物が存在せず、コードクリップ８４を固定するネジ８４ａへの接触は容易である。これにより、外郭面７０ａからコードクリップ８４までの高さが外郭面７０ａから端子台８３までの高さよりも低くてもコードクリップ８４を固定するネジ８４ａへの接触が可能となるため、外郭面７０ａに垂直な方向での実装スペースを低減でき、配線スペースを縮小できる。
【００２７】
端子台取付面８１ａ及びコードクリップ取付面８１ｂを備える端子台取付板８１は、電装ケース７１と別部品とすることで、電装ケース７１自体は単純な箱形状にでき、加工費用を低減できる。また、端子台取付板８１が電装ケース７１と別部品であると、端子台８３を使用しない機種に電装ケース７１を流用可能となるため、部品の共通化によりコストダウンを図ることができる。ただし、端子台取付板８１を電装ケース７１と一体とし、端子台取付面８１ａ及びコードクリップ取付面８１ｂは、電装ケース７１に曲げ加工を施して形成してもよい。
【００２８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２９】
１  換気装置、１０  フロントパネル、１１  室内吹出口、１２Ａ，１２Ｂ  室内吸込口、２０  フロントケーシング、２１  給気開口、２２  排気開口、３０  バックケーシング、３１  室外吸込口、３２  室外吹出口、４０  内部ケーシング、４１  給気通風路、４２  排気通風路、５０Ａ，５０Ｂ  送風機、５１Ａ，５１Ｂ  モータ、５２Ａ，５２Ｂ  羽根車、５３  モータ取付板、６０  熱交換器、７０  電装ボックス、７０ａ  外郭面、７１  電装ケース、７２  電装カバー、７３  電子基板、８０  端子台ボックス、８１  端子台取付板、８１ａ  端子台取付面、８１ｂ  コードクリップ取付面、８１ｃ，８４ａ  ネジ、８２  端子台カバー、８３  端子台、８３ａ  一端部側の側面、８３ｂ  他端部側の側面、８３ｃ  外部電源線接続端子、８３ｄ  内部電線接続端子、８４  コードクリップ、８５  コードブッシュ、９０  外部電源線、９１  内部電線。
【図１】
0006594563.tif 000002
【図２】
0006594563.tif 000003
【図３】
0006594563.tif 000004
【図４】
0006594563.tif 000005
【図５】
0006594563.tif 000006
【図６】
0006594563.tif 000007